(57)【要約】【課題】物干金物の竿保持アームの先端部に延長用補助アームを回動可能に連結し、該延長用補助アームは竿穴を有して物干し竿を増やして架け渡しすることができ、また、延長用補助アームは設定位置にて前記竿保持アームに対して設定角度を保持して任意に固定可能で、不要時には竿保持アーム側に折りたたんで固定でき、使用者の邪魔にならない物干金物の竿保持アーム延長装置を提供する。【解決手段】竿保持アーム１０の先端部に延長用補助アーム１を連結し、該延長用補助アーム１は竿保持アーム１０の先端部を中心に回動可能となし、該延長用補助アーム１の回転角は任意に設定でき、該回転角を任意に定めた設定位置で維持固定できるストッパー機能を有し、また、前記延長用補助アーム１は折りたたみ機能を有して前記竿保持アーム１０側に重ねて折りたたみ可能となし不要時には竿保持アームに付加されて取付面より突出する延長用補助アーム１の長さが物干金物の前後で利用者の邪魔物とならないようにした。【選択図】図４
2005230205.tif 000002
【特許請求の範囲】
【請求項１】
竿保持アームの先端部に延長用補助アームを連結し、該延長用補助アームは竿保持アームの先端部を中心に回動可能となし、該延長用補助アームの回転角は任意に設定でき、該延長用補助アームの回転角を任意に定めた設定位置で維持固定できるストッパー機能を有し、また、前記延長用補助アームは折りたたみ機能を有して前記竿保持アーム側に重ねて折りたたみ可能となし、該竿保持アームの先端部に取り付けられて突出する延長用補助アームは竿保持アームに対して角度可変したり折りたたむことで延長される長さが物干金物の前後で利用者の邪魔物とならない様に構成したこと、
を特徴とする物干金物の竿保持アーム延長装置。
【請求項２】
一対の竿保持アームを対向して取り付け該竿保持アームの竿穴間に物干し竿を掛け渡して使用する金物において、
該竿保持アームを保持するアーム保持部材は竿保持アームを一端で回転可能に保持し予め設定された回転角度にて固定維持でき、
該竿保持アームの先端部に位置する竿受穴に回転軸嵌挿して一対の補助アーム固定部材を取り付け、
該一対の補助アーム固定部材を介して延長用補助アームを挟持して竿保持アームと延長用補助アームを連結し、
該延長用補助アームは前記竿保持アームの先端部の竿受穴を中心に回動可能となし、
該延長用補助アームの回転角は前記竿保持アームに対して任意に設定でき該回転角を設定位置で維持固定できるストッパー機能を前記補助アーム固定部材と延長用補助アーム間に設け、
また、前記延長用補助アームは前記竿保持アーム側に重ねて折りたたみ可能とした折りたたみ機構と該折りたたみ位置でのストッパーを有すること、
を特徴とする物干金物の竿保持アーム延長装置。
【請求項３】
竿保持アームの先端部に挟持アームと回転軸嵌挿用軸孔を有する取付キャップをビスやボルト・ナット等で嵌着し、該取付キャップの回転軸嵌挿用軸孔に延長用補助アームを連結し、該延長用補助アームは取付キャップの回転軸嵌挿用軸孔を中心に回動可能となし、該延長用補助アームの回転角は任意に設定でき、該延長用補助アームの回転角を任意に定めた設定位置で維持固定できるストッパー機能を有し、また、前記延長用補助アームは折りたたみ機能を有して前記竿保持アーム側に重ねて折りたたみ可能となし不要時には竿保持アームに付加されて取付面より突出する延長用補助アームの長さを物干金物の前後で利用者の邪魔物とならない様に構成したこと、
を特徴とする物干金物の竿保持アーム延長装置。
【請求項４】
前記竿保持アームの先端部に位置する竿穴に回転軸を嵌挿して一対の補助アーム固定部材を取り付ける際、前記延長用補助アームの回転軸外周部には金属同士の摺動にて生じる不快音を解消するためのゴム、テフロン（登録商標）、合成樹脂等の緩衝部材が配置されていること、また、前記ゴム、テフロン（登録商標）、合成樹脂とからなる緩衝部材は回転軸嵌挿用軸孔を有し竿保持アームの先端部に位置する竿受穴の形状に嵌合する外周形状を有した回軸孔形成部材を兼ね備えていること、
を特徴とする請求項１乃至請求項３記載の物干金物の竿保持アームアーム延長装置。
【請求項５】
前記竿保持アームに回転可能に取り付けられる延長用補助アームは竿保持アームを介して該竿保持アームの取付面に対して水平延長固定、角度調節固定、収納時固定等の動作を有し、該延長用補助アームの固定には前記竿保持アームを回転軸を介して挟持する一対の補助アーム固定部材間に穿たれたたストッパー孔、並びに前記竿保持アーム先端部に穿たれた固定用孔をストッパーピンが貫通して挿着されることによりおこなう構成を有したこと、
を特徴とする請求項１乃至請求項３記載の物干金物の竿保持アーム延長装置の延長用補助アームストッパー機構。
【請求項６】
前記ストッパーピンは延長用補助アーム側のそれぞれのストッパー孔の位置受け側にタップ加工したボスを設け、該片側より先端部にネジ切りしたストッパーピンを螺着することにより延長用補助アームの竿保持アームへの角度固定、収納時固定をすること、
を特徴とする請求項１乃至請求項４記載の物干金物の竿保持アーム延長装置の延長用補助アームストッパー機構。
【請求項７】
前記ストッパーピンは延長用補助アーム側のそれぞれのストッパー孔の位置受け側にスプリング係合溝を加工したボスを設け、該片側より先端部に係合スプリングを設けたストッパーピンを螺着することにより延長用補助アームの竿保持アームへの角度固定、収納時固定をすること、
を特徴とする請求項１乃至請求項４記載の物干金物の竿保持アーム延長装置の延長用補助アームストッパー機構。
【請求項８】
前記ストッパーピンは延長用補助アーム側のそれぞれのストッパー孔の位置受け側にカギ状突起係合孔を加工したボスを設け、該片側より先端部にカギ状突起を設けたストッパーピンを差し込み、該カギ状突起ストッパーが前記ボス部のカギ状突起係合孔に係合し回転を加えることで該先端部のカギ状突起が係合して抜き止めとなり固定され延長用補助アームの竿保持アームへの角度固定、収納時固定をすること、
を特徴とする請求項１乃至請求項４記載の物干金物の竿保持アーム延長装置の延長用補助アームストッパー機構。
【請求項９】
前記延長用補助アームの竿保持アーム側への重ねて折りたたみ収納時において、該延長用補助アームは竿保持アームの縁部に設けられた挟持具に該縁部を嵌着され前記折りたたみ状態を維持可能とした可能としたこと、
を特徴とする請求項１乃至請求項４記載の物干金物の竿保持アーム延長装置の延長用補助アーム折りたたみ維持機構。
【発明の詳細な説明】
【技術分野】
【０００１】
本発明はバルコニー、ベランダ等に設置される物干金物の竿保持アーム延長装置に関するものであり、該本発明の物干金物の延長装置は物干し竿を延長用補助アームの竿穴に差し込んだまま使用できるものである。
【背景技術】
【０００２】
物干金物は一対の竿保持アームを対向して取り付け、該竿保持アームの竿穴間に物干し竿を掛け渡して使用する金物で、バルコニーやベランダの腰壁に取り付けるタイプ、手摺支柱に取り付けるタイプ、建物外壁面の庇下等高い壁面に取り付けるタイプ等があり、それぞれ竿保持アームが取付面に対して角度選択ができて、物干竿の高さ調整ができるものが、主流になっている。
【０００３】
また物干金物はその取付位置により竿保持アーム部分を上下移動式ポールに取り付けて物干竿の高さ調整の出来るものや、竿保持アームの太さを大きく耐重量性を大きくして布団干金物専用とした物等がある。
【０００４】
而して、物干金物の設置にあたっては、バルコニーやベランダ等の取付場所のスペースにより竿保持アームの長さを選択して取り付けている。従ってメーカ−は、竿保持アームの長さを例えば、４５０ｍｍ、５５０ｍｍ、６５０ｍｍ、７００ｍｍ、７５０ｍｍ、８５０ｍｍと品揃えしておき、取付場所の環境やスペースに応じ施工会社や使用者が物干の竿保持アームの長さを選択して取り付けているのが一般的である。 
【従来技術の説明】
【０００５】
図２０乃至図２２に基づき従来の物干金物の形状、取付例を説明する。
図２０はバルコニー手摺腰壁５０にアンカーボルト５１、５２にてアーム保持部材５３を固定し、該アーム保持部材５３に回転可能に取り付けられた竿保持アーム５４が前記バルコニー手摺腰壁５０面に対して、例えば９０度位置５５a、上方に４５度位置５５b、下方に４５度位置５５c、並びに収納位置５５ｄといったように使う人の好みや状況で最適高さとなるように角度が選べ固定できる。
【０００６】
また図２１の従来例は、竿保持アーム５４のアーム保持部材５３を上下移動式ポール５６の上部に冠着して固定し、該上下移動式ポール５６を上下動することにより竿保持アーム５４の高さを竿保持アーム５４aの如く調整できる。
【０００７】
而して、図２１のアーム保持部材５３に保持された竿保持アーム５４は、該アーム保持部材５３に対して回動可能に保持されてされており、図２１の如く腰壁５０面に対して竿保持アーム５４を或る角度を有して保持したり、必要に応じ竿保持アーム５４ｂの如く収納位置に納めることができる。
【０００８】
図２２の従来例は、建物外壁５７面の庇５８の下部等、高い壁面にアーム保持部材５３を介して竿保持アーム５４を取り付け、該竿保持アーム５４はアーム保持部材５３に対して回動可能であり、また、図２０の従来例の様に外壁５７に対して９０度位置、上下に４５度位置、並びに収納位置といったように使う人の好みや状況で最適高さとなるように角度が選べ固定できる。尚、図２２は、外壁５７に対して下方４５度位置に竿保持アーム５４を固定した状態を示している。
【０００９】
斯くして、上記、図２０乃至図２２にて説明した従来の物干金物では、バルコニーやベランダの腰壁や手摺支柱に取り付ける際に、該物干金物の竿保持アーム５４の先端部が、バルコニーやベランダの内側に突出して設けられるので、該突出されて設けられる竿保持アーム５４の前方または後方に人の動線を確保してなお邪魔にならない長さを選択して取り付けせざるを得ない。
【００１０】
従って、物干金物のメーカーは、実状に合わせて例えば、４５０ｍｍ、５５０ｍｍ、６５０ｍｍ、７００ｍｍ、７５０ｍｍ、８５０ｍｍと品揃えしており、使用者や施工会社は、物干金物の取付位置により竿保持アーム５４の長さを選定しているのが現況である。
【００１１】
このことは、メーカーにおいては、竿保持アーム５４の長さ違いを品揃えし、且つ、それぞれの長さ違いの品揃えに対して仕上げ色をも品揃えをして置くことになり、在庫数量の増大による経済的損失は多大なものになる。
【００１２】
また、使用者の立場になると、入居時に既に設置されている物干金物は、容易にその竿保持アーム５４を交換することができず、架け渡しする物干し竿の本数を増やしたりすることのできない不便な製品であった。
【発明の開示】
【発明が解決しようとする課題】
【００１３】
本発明が解決しようとする課題は、物干金物の竿保持アームの先端部に延長用補助アームを回動可能に連結し、該延長用補助アームは竿穴を有して物干し竿を増やして架け渡しすることができ、また、該延長用補助アームは設定位置にて前記竿保持アームに対して設定角度を保持して任意に固定可能であり、不要時には竿保持アーム側に折りたたんで固定したり、延長用補助アームの角度を変えることにより、使用者の邪魔にならない様に構成した物干金物の竿保持アーム延長装置を提供することである。
【００１４】
また、本発明は、既存の物干金物においても、一般の人が簡単、且つ容易に物干金物の竿保持アームの先端部に取り付けできる延長用補助アームを提供し、該延長用補助アームは竿穴を有して物干し竿を増やして架け渡しすることができ、また、該延長用補助アームは設定位置にて前記竿保持アームに対して設定角度を保持して任意に固定可能であり、不要時には竿保持アーム側に折りたたんで固定できて、使用者の邪魔にならない様に構成した物干金物の竿保持アーム延長装置を提供することにある。
【００１５】
更に本発明の物干金物における竿保持アーム延長装置は、延長用補助アームの竿穴に物干し竿を差し込んだまま、従来の物干金物と同様に、延長用補助アームの延長操作や、角度調整、延長用補助アームの収納操作がおこなえ、物干し竿を差し込んだままの収納でも前記物干し竿が足掛かり部を作ることがなく安全性も確保できる物干金物の竿保持アーム延長装置を提供することにある。
【００１６】
而して、本発明により、物干金物の製造メーカーは、数種類の長さ違いの竿保持アームを品揃えする負担が軽減でき、それぞれの長さ違い製品の品揃えに対して仕上げ色をも品揃えをして置く必要もなくなり在庫数量の増大による経済的損失を軽減できる。
【００１７】
また、本発明により物干金物は使い勝っての良い製品となり、例え、入居時に既に設置されている物干金物にあっても、本発明の竿保持アーム延長装置を購入することにより、容易に補助アームを既存の竿保持アーム先端部に取付可能で架け渡しする物干し竿の本数を増すことができる。
【課題を解決するための手段】
【００１８】
本発明は、竿保持アームの先端部に延長用補助アームを連結し、該延長用補助アームは竿保持アームの先端部を中心に回動可能となし、該延長用補助アームの回転角は任意に設定でき、該延長用補助アームの回転角を任意に定めた設定位置で維持固定できるストッパー機能を有し、また、前記延長用補助アームは折りたたみ機能を有して前記竿保持アーム側に重ねて折りたたみ可能となし、該竿保持アームの先端部に取り付けられて突出する延長用補助アームは竿保持アームに対して角度可変したり折りたたむ事で延長される長さが物干金物の前後で利用者の邪魔物とならない様に構成したことを最も主要な特徴とする。
【００１９】
本発明は、好ましくは、一対の竿保持アームを対向して取り付け該竿保持アームの竿穴間に物干し竿を掛け渡して使用する金物において、該竿保持アームを保持するアーム保持部材は竿保持アームを一端で回転可能に保持し予め設定された回転角度にて固定維持でき、該竿保持アームの先端部に位置する竿穴に回転軸嵌挿して一対の補助アーム固定部材を取り付け、該一対の補助アーム固定部材を介して延長用補助アームを挟持して竿保持アームと延長用補助アームを連結し、該延長用補助アームは前記竿保持アームの先端部の竿穴を中心に回動可能とした。
【００２０】
そして、前記、延長用補助アームの回転角は前記竿保持アームに対して任意に設定でき該回転角を設定位置で維持固定できるストッパー機能を前記補助アーム固定部材と延長用補助アーム間に設けた。
【００２１】
また、前記延長用補助アームは前記竿保持アーム側に重ねて折りたたみ可能とした折りたたみ機構と該折りたたみ位置でのストッパーを有する構成とした。
【００２２】
本発明は、好ましくは、竿保持アームの先端部に挟持アームと回転軸嵌挿用軸孔を有する取付キャップをビスやボルト・ナット等で嵌着し、該取付キャップの回転軸嵌挿用軸孔に延長用補助アームを連結し、該延長用補助アームは取付キャップの回転軸嵌挿用軸孔を中心に回動可能となし、該延長用補助アームの回転角は任意に設定でき、該延長用補助アームの回転角を任意に定めた設定位置で維持固定できるストッパー機能を有している。
【００２３】
また、前記延長用補助アームは折りたたみ機能を有して前記竿保持アーム側に重ねて折りたたみ可能となし不要時には竿保持アームに付加されて取付面より突出する延長用補助アームの長さを物干金物の前後で利用者の邪魔物とならない様構成擦ることにより、既存の物干金物の竿保持アームの先端部に一般の人でもボルト・ナット、ビスを用いて延長用補助アームを簡単且つ容易に取り付けることができる。
【００２４】
本発明は、好ましくは、竿保持アームの先端部に位置する竿穴に回転軸を嵌挿して一対の補助アーム固定部材を取り付ける際、前記延長用補助アームの回転軸外周部には金属同士の摺動にて生じる不快音を解消するためのゴム、テフロン（登録商標）、合成樹脂等の緩衝部材が形成され配置されていること。
【００２５】
また、前記ゴム、テフロン（登録商標）、合成樹脂とからなる緩衝部材は回転軸嵌挿用軸孔を有し竿保持アームの先端部に位置する竿穴の形状に嵌合する外周形状を有した軸孔形成部材を兼ね備えて、該軸孔形成部材にて内径が大きく、或いは楕円形状の竿穴であっても該竿穴内に延長用補助アームの回転軸嵌挿用軸孔を形成できる。
【００２６】
本発明は、好ましくは、前記竿保持アームに回転可能に取り付けられる延長用補助アームは竿保持アームを介して該竿保持アームの取付面に対して水平延長固定、角度調節固定、収納時固定等の動作を有し、該延長用補助アームの固定には前記竿保持アームを回転軸を介して挟持する一対の補助アーム固定部材間に穿たれたたストッパー孔、並びに前記竿保持アーム先端部に穿たれた固定用孔をストッパーピンが貫通して挿着されることでおこなうよう構成されている。
【００２７】
本発明の前記ストッパーピンは、好ましくは、延長用補助アーム側のそれぞれのストッパー孔の位置受け側にタップ加工したボスを設け、該片側より先端部にネジ切りしたストッパーピンを螺着することにより延長用補助アームの竿保持アームへの角度固定、収納時固定をするように構成されている。
【００２８】
また本発明の前記ストッパーピンは、好ましくは、延長用補助アーム側のそれぞれのストッパー孔の位置受け側にスプリング係合溝を加工したボスを設け、該片側より先端部に係合スプリングを設けたストッパーピンを螺着することにより延長用補助アームの竿保持アームへの角度固定、収納時固定をするように構成されていても良い。
【００２９】
更に、本発明の前記ストッパーピンは、好ましくは、延長用補助アーム側のそれぞれのストッパー孔の位置受け側にカギ状突起係合孔を加工したボスを設け、該片側より先端部にカギ状突起を設けたストッパーピンを差し込み、該カギ状突起ストッパーが前記ボス部のカギ状突起係合孔に係合し回転を加えることで該先端部のカギ状突起が係合して抜き止めとなり固定され延長用補助アームの竿保持アームへの角度固定、収納時固定をするよう構成されていても良い。
【００３０】
更にまた、本発明は好ましくは、前記延長用補助アームの竿保持アーム側への重ねて折りたたみ収納時において、該延長用補助アームは竿保持アームの縁部に設けられた挟持具に該縁部を嵌着され前記折りたたみ状態を維持可能としても良い。
【発明の効果】
【００３１】
斯くして、本発明は、物干金物の竿保持アームの先端部に延長用補助アームを回動可能に連結し、該延長用補助アームは複数の竿穴を有していて物干し竿を増やして架け渡しすることができ、また、該延長用補助アームは設定位置において前記竿保持アームに対して設定角度を保持し任意に固定可能であり、不要時には竿保持アーム側に折りたたんで固定できて、使用者の邪魔にならない構成を有する物干金物の竿保持アーム延長装置を提供することができた。
【００３２】
また、本発明は、既存の物干金物においても、一般の人が簡単、且つ容易に物干金物の竿保持アームの先端部に取り付けできる延長用補助アームを提供し、該延長用補助アームは竿穴を有して物干し竿を増やして架け渡しすることができ、また、該延長用補助アームは、設定位置おいて前記竿保持アームに対して設定角度を保持して任意に固定可能であり、不要時には竿保持アーム側に折りたたんで固定できて、使用者の邪魔にならない構成を有する物干金物の竿保持アーム延長装置を提供することができた。そして、上記、操作は、物干し竿を延長用補助アームの竿穴に差し込んだままで、おこなえる。
【００３３】
斯くして、本発明は、従来の物干金物が、バルコニーやベランダの腰壁や手摺支柱に取り付ける際に、該物干金物の竿保持アームの先端部が、バルコニーやベランダの内側に突出して設けられるので、該突出されて設けられる竿保持アームの前方または後方に人の動線を確保してなお邪魔にならない長さを選択して取り付けせざるを得なかった点を、延長用補助アームを新規開発することで解消した。
【００３４】
そして、従来の物干金物のメーカーは、実状に合わせて例えば、４５０ｍｍ、５５０ｍｍ、６５０ｍｍ、７００ｍｍ、７５０ｍｍ、８５０ｍｍと品揃えしており、使用者や施工会社は、物干金物の取付位置により竿保持アームの長さを選定しているのが現況であったものを、本発明を実施促進していく事によりメーカーにおいては、竿保持アーム長さの品揃えによる在庫数量の増大を軽減でき、その経済的効果は多大なものがある。
【発明を実施するための最良の形態】
【００３５】
本発明においては、竿保持アームの先端部に延長用補助アームを連結し、該延長用補助アームは竿保持アームの先端部を中心に回動可能となし、該延長用補助アームの回転角は任意に設定でき、該延長用補助アームの回転角を任意に定めた設定位置で維持固定できるストッパー機能を有し、また、前記延長用補助アームは折りたたみ機能を有して前記竿保持アーム側に重ねて折りたたみ可能となし、該竿保持アームの先端部に取り付けられて突出する延長用補助アームは竿保持アームに対して角度可変したり折りたたむことで延長されるの長さが物干金物の前後で利用者の邪魔物とならない様に構成した。
【００３６】
本発明においては、一対の竿保持アームを対向して取り付け該竿保持アームの竿穴間に物干し竿を掛け渡して使用する金物において、該竿保持アームを保持するアーム保持部材は竿保持アームを一端で回転可能に保持し予め設定された回転角度にて固定維持でき、該竿保持アームの先端部に位置する竿穴に回転軸嵌挿して一対の補助アーム固定部材を取り付け、該一対の補助アーム固定部材を介して延長用補助アームを挟持して竿保持アームと延長用補助アームを連結し、該延長用補助アームは前記竿保持アームの先端部の竿穴を中心に回動可能とした。
【００３７】
そして、前記、延長用補助アームの回転角は前記竿保持アームに対して任意に設定でき該回転角を設定位置で維持固定できるストッパー機能を前記補助アーム固定部材と延長用補助アーム間に設けた。
【００３８】
また、前記延長用補助アームは前記竿保持アーム側に重ねて折りたたみ可能とした折りたたみ機構と該折りたたみ位置でのストッパーを有する構成とした。
【００３９】
本発明は、竿保持アームの先端部に挟持アームと回転軸嵌挿用軸孔を有する取付キャップをビスやボルト・ナット等で嵌着し、該取付キャップの回転軸嵌挿用軸孔に延長用補助アームを連結し、該延長用補助アームは取付キャップの回転軸嵌挿用軸孔を中心に回動可能となし、該延長用補助アームの回転角は任意に設定でき、該延長用補助アームの回転角を任意に定めた設定位置で維持固定できるストッパー機能を有している。
【００４０】
また、前記延長用補助アームは折りたたみ機能を有して前記竿保持アーム側に重ねて折りたたみ可能となし不要時には竿保持アームに付加されて取付面より突出する延長用補助アームの長さを物干金物の前後で利用者の邪魔物とならない様構成擦ることにより、既存の物干金物の竿保持アームの先端部に一般の人でもボルト・ナット、ビスを用いて延長用補助アームを簡単且つ容易に取り付けることができる構成とした。
【００４１】
本発明は、好ましくは、竿保持アームの先端部に位置する竿穴に回転軸を嵌挿して一対の補助アーム固定部材を取り付ける際、並びに竿保持アームの先端部に挟持アームと回転軸嵌挿用軸孔を有する取付キャップを設け、該取付キャップの回転軸嵌挿用軸孔に延長用補助アームを連結する回転軸を装着する際に、前記延長用補助アームの回転軸外周部には金属同士の摺動にて生じる不快音を解消するためのゴム、テフロン（登録商標）、合成樹脂等の緩衝部材が形成され配置されている構成とした。
【００４２】
また、前記ゴム、テフロン（登録商標）、合成樹脂等からなる緩衝部材は回転軸嵌挿用軸孔を有し竿保持アームの先端部に位置する竿穴の形状に嵌合する外周形状を有した回転軸嵌挿用軸孔形成部材を兼ね備えて、該回転軸嵌挿用軸孔形成部材にて内径が大きく、或いは楕円形状の竿穴であっても該竿穴内に延長用補助アームの回転軸嵌挿用軸孔を形成できる構成とした。
【００４３】
本発明における竿保持アームに回転可能に取り付けられる延長用補助アームは、竿保持アームを介して該竿保持アームの取付面に対して水平延長固定、角度調節固定、収納時固定等の動作を有し、該延長用補助アームの固定は、前記竿保持アームを回転軸を介して挟持する一対の補助アーム固定部材間に穿たれたストッパー孔、並びに前記竿保持アーム先端部に穿たれた固定用孔にストッパーピンが貫通して挿着されることで、おこなわれる。
【００４４】
本発明における延長用補助アームの角度ストッパーピンは、延長用補助アーム側のそれぞれのストッパー孔の位置受け側にタップ加工したボスを設け、該片側より先端部にネジ切りしたストッパーピンを螺着することにより延長用補助アームの竿保持アームへの角度固定、収納時固定をするように構成した。
【００４５】
また本発明において、前記ストッパーピンは、延長用補助アーム側のそれぞれのストッパー孔の位置受け側にスプリング係合溝を加工したボスを設け、該片側より先端部に係合スプリングを設けたストッパーピンを螺着することにより延長用補助アームの竿保持アームへの角度固定、収納時固定をするように構成されていても良い。
【００４６】
更に、本発明における前記ストッパーピンは、延長用補助アーム側のそれぞれのストッパー孔の位置受け側にカギ状突起係合孔を加工したボスを設け、該片側より先端部にカギ状突起を設けたストッパーピンを差し込み、該カギ状突起ストッパーが前記ボス部のカギ状突起係合孔に係合し回転を加えることで該先端部のカギ状突起が係合して抜き止めとなり固定され延長用補助アームの竿保持アームへの角度固定、収納時固定をするように構成されていても良い。
【００４７】
更にまた、本発明は延長用補助アームの竿保持アーム側への重ねて折りたたみ収納時において、該延長用補助アームは竿保持アームの縁部に設けられた挟持具に該縁部を嵌着され前記折りたたみ状態を維持可能とした構成としても良い。
【実施例１】
【００４８】
図１は本発明の延長用補助アームを示す部品図、図２は本発明の延長用補助アームと竿保持アームとの関係を示す組み立て図、図３は本発明の竿受孔と緩衝材との関係を示す組み立て図、図４は組み立て完了後の延長用補助アーム付き物干金物を示す説明図である。
【００４９】
図１乃至図４において、１は延長用補助アーム、２a、２ｂ、２c、２d、２eは延長用補助アーム１に設けられた竿穴、３a、３bは補助アーム固定部材、４a、４ｂ、４ｃは延長用補助アーム１と補助アーム固定部材３a、３ｂを一体化するためのビス孔、５は延長用補助アーム１の回転軸、６a、６ｂは回転軸５の保持用ビス孔、７a、７ｂ、７c、８a、８ｂ、８ｃは延長用補助アーム１の回転を設定位置で固定するためのストッパーピン挿着穴、９は前記回転軸５の外周部に装着されるゴム、テフロン（登録商標）等からなる緩衝部材で、該緩衝材９には回転軸嵌挿用軸孔９aが設けてある。
【００５０】
而して、図２は本発明の延長用補助アーム１と竿保持アーム１０との関係を示す組み立て図で、１０は物干金物の竿保持アームを示し、該竿保持アーム１０には竿受穴１１、竿受穴１２a、１２b、１２c・・・が設けられており、また、１３は適宜穿たれたハンガー掛け穴を示している。
【００５１】
図２において、ビス１４は延長用補助アーム１の回転軸５を前記竿保持アーム１０の竿受穴１１に緩衝部材９を介して嵌合せしめ、該緩衝部材９に設けられた回転軸嵌挿用軸９aに回転軸５を嵌合状態に保持して、補助アーム固定部材３a、３ｂにて竿保持アーム１０に対して延長用補助アーム１を回転可能に設置するものであり、また。小ビス１５a、１５ｂ、１５ｃは前記ビス孔４a、４ｂ、４ｃに螺着され、延長用補助アーム１、補助アーム固定部材３a、３ｂ、緩衝材９、竿保持アーム１０を一体化している。
【００５２】
また、図３は竿保持アーム１０が、既存の物干金物であったり、他社メーカーのものであった場合に、該竿保持アーム１０の先端部に穿たれている竿受孔１１は図２の竿受孔１１の如く真円とは限らず、例えば図３の竿受穴１１の如く楕円となる場合も十分にあり得る。
【００５３】
前記ゴム、テフロン（登録商標）、合成樹脂等からなる緩衝部材９は回転軸嵌挿用軸孔９aを有し竿保持アーム１０の先端部に位置する竿受穴１１の形状に嵌合する外周形状を有した軸孔形成部材を兼ね備えて、該軸孔形成部材にて内径が大きい場合や、或いは図３の如く楕円形状の竿受穴１１であっても該竿受穴１１内に延長用補助アームの回転軸嵌挿用軸孔９aを形成できる構成とした。
【００５４】
即ち、緩衝材９はゴム、テフロン（登録商標）、合成樹脂等からなり、該緩衝部材９は回転軸嵌挿用軸孔９aを有し、延長用補助アーム１を連結する回転軸５を装着する際に、前記延長用補助アーム１の回転軸５外周部に配置され、金属同士の摺動にて生じる不快音を解消する役目と、図３にて説明した竿保持アーム１０の先端部に位置する竿受穴１２aの様な楕円形状にも嵌合する外周形状を有した緩衝材９で、この場合には緩衝材９は回転軸嵌挿用軸孔９aを有した軸孔形成部材を兼ね備えている。
【００５５】
図４は、組み立て完了後の延長用補助アーム１付き物干金物を示す説明図である。
図４において、１６はアーム保持部材であり、該アーム保持部材１６はアンカーボルト１７a、１７ｂにより例えばバルコニー腰壁等に固定されている。
【００５６】
アーム保持部材１６は前記竿保持アーム１０を保持して、該竿保持アーム１０を、例えば９０度位置（水平位置）、上方に４５度位置、下方に４５度位置、並びに収納位置といったように使う人の好みや状況で最適高さとなるように角度が選べ、該角度で固定できる。
【００５７】
図４は竿保持アーム１０を物干金物の取付面に対して水平に保持し、本発明の延長用補助アーム１を折りたたみ、竿保持アーム１０の縁部に設けられた挟持具１８により竿保持アーム１０に係止された状態を示している。
【００５８】
而して、竿保持アーム１０に回転可能に保持された延長用補助アーム１は、図４の想像線にて示す如く、竿保持アーム１０に対して任意に回転し、延長用補助アーム１a、１ｂ、１ｃの如く設定位置でストッパーピン装着穴８a、８ｂ、８ｃにストッパーピン１９を装着すること（図４はストッパーピン装着孔８aにストッパーピン１９が装着されている）で固定維持できる。
【００５９】
斯くして、本発明は竿保持アーム１０の先端部に延長用補助アーム１を連結し、該延長用補助アーム１は竿保持アーム１０の先端部を中心に回動可能となし、該延長用補助アーム１の回転角は任意に設定でき、該延長用補助アーム１の回転角を任意に定めた設定位置で維持固定できるストッパーピン１９を有し、また、前記延長用補助アーム１は折りたたみ機能を有して前記竿保持アーム１０側に重ねて折りたたみ可能となし、不要時には竿保持アーム１０に付加されて取付面より突出する延長用補助アーム１の長さを物干金物の前後で利用者の邪魔物とならない様に構成したものである。
【００６０】
本発明は、一対の竿保持アーム１０を対向して取り付け、該竿保持アーム１０の竿受穴１２a、１２ｂ、１２c・・・間に物干し竿を掛け渡して使用する金物において、該竿保持アーム１０を保持するアーム保持部材１６は竿保持アーム１０を一端で回転可能に保持し予め設定された回転角度にて固定維持でき、該竿保持アーム１０の先端部に位置する竿受穴１１に回転軸５嵌挿して一対の補助アーム固定部材３a、３ｂを取り付けた。
【００６１】
そして、一対の補助アーム固定部材３a、３ｂを介して延長用補助アーム１を挟持して竿保持アーム１０と延長用補助アーム１を連結し、該延長用補助アーム１は前記竿保持アーム１０の先端部の竿受穴１１を中心に回動可能となし、該延長用補助アーム１０の回転角は前記竿保持アーム１０に対して任意に設定でき該回転角を設定位置で維持固定できるストッパーピン１９を前記補助アーム固定部材３a、３ｂと延長用補助アーム１間に設け、また、前記延長用補助アーム１は前記竿保持アーム１０側に重ねて折りたたみ可能とした折りたたみ機構と該折りたたみ位置で挟持具１８のストッパーを有する様に構成した。
【００６２】
而して、実施例１においては、上記構成とすることにより、竿保持アーム１０と延長用補助アーム１の連繋に図５乃至図１１に示すような作用を生じせしめる。
【００６３】
図５は、竿保持アーム１０がアーム保持部材１６により水平位置に固定されており、延長用補助アーム１が竿保持アーム１０に対して角度４５度方向に支持されている状態を示しており、該状態において、ストッパーピン１９はストッパーピン装着穴８ｂに装着されている。
【００６４】
図６は、竿保持アーム１０がアーム保持部材１６により水平位置に固定されており、延長用補助アーム１が竿保持アーム１０に対して角度２５度方向に支持されている状態を示しており、該状態において、ストッパーピン１９はストッパーピン装着穴８ｃに装着されている。
【００６５】
図７は、竿保持アーム１０がアーム保持部材１６により水平位置に固定されており、延長用補助アーム１が竿保持アーム１０に対して水平方向に支持されている状態を示しており、該状態において、ストッパーピン１９はストッパーピン装着穴８aに装着されている。
【００６６】
図８は、竿保持アーム１０がアーム保持部材１６により上４５度の位置に固定されており、延長用補助アーム１が竿保持アーム１０に対して同じく４５度延長されている状態を示しており、該状態において、ストッパーピン１９はストッパーピン装着穴８aに装着されている。
【００６７】
図９は、竿保持アーム１０がアーム保持部材１６により上４５度の位置に固定されており、延長用補助アーム１が竿保持アーム１０に対して２５度延長されている状態を示しており、該状態において、ストッパーピン１９はストッパーピン装着穴８ｃに装着されている。
【００６８】
図１０は、竿保持アーム１０がアーム保持部材１６により上４５度の位置に固定されており、延長用補助アーム１が竿保持アーム１０に対して４５度延長されている状態を示しており、該状態において、ストッパーピン１９はストッパーピン装着穴８ｂに装着されている。
【００６９】
図１１は、竿保持アーム１０がアーム保持部材１６により収納状態に設置されており、同じく延長用補助アーム１は竿保持アーム１０側に折りたたまれた状態を示しており、該状態において、ストッパーピン１９はストッパーピン装着穴８aに装着されている。
【００７０】
また、上記竿保持アーム１０と延長用補助アーム１の収納状態時において、最下段に位置する延長用保持アーム１の竿穴２eは、竿保持アーム１０の竿受孔１２aと同じ高さに位置しているために前記アーム保持部材１６が正し位置に取り付けられていれば、物干し竿を竿穴２eに差し込んだまま図１１の如く収納しても足掛かり等の問題を生じない。
【実施例２】
【００７１】
図１２は、本発明の実施例２を説明する部品図であり、図１３は、組み立て完了後の状態を示す説明図である。
図１２並びに図１３において、１は延長用補助アーム、２a、２ｂ、２ｃ、２ｄ、２e は延長用補助アーム１に設けられた竿穴、３a、３ｂは補助アーム固定部材、４a、４ｂ、４ｃは延長用補助アーム１と補助アーム固定部材３a、３ｂを一体化するためのビス孔、５は延長用補助アーム１の回転軸、６a、６ｂは回転軸５の保持用ビス孔、７aは延長用補助アーム１の回転を設定位置で固定するためのストッパーピン挿着穴、９は前記回転軸５の外周部に装着されるゴム、テフロン等からなる緩衝部材、９aは回転軸嵌挿用軸孔である。
【００７２】
而して、竿保持アーム１０の先端部に位置する部位には、該竿保持アーム１０を挟持つための挟持アーム２０と回転軸嵌挿用軸孔２１を有する取付キャップ２２が配置されている。該取付キャップ２２は、前記竿保持アーム１０に取付キャップ２２を固着するためのビス孔２３a、２３ｂ、２３ｃ・・・が穿たれており、該ビス孔２３a、２３ｂ、２３ｃ・・・にビス２４a、２４ｂ、２４ｃ・・・を螺着することにより、前記竿保持アーム１０と取付キャップを一体化できる。
【００７３】
そして、取付キャップ２２には延長用補助アーム１の回転軸５が装着され、該延長用補助アーム１０は、取付キャップ２２を介して竿保持アーム１０に回転可能に設置することができる。
尚、取付キャップ２２上には、ストッパーピン挿着穴２５a、２５ｂ、２５ｃが穿たれており、該ストッパーピン挿着穴２５a、２５ｂ、２５ｃには前記補助アーム固定部材３ｂに設けられたストッパーピン装着穴２６からストッパーピン１９が装着される。
【００７４】
図１３は、この状態を想像線にて示し、延長用補助アーム１は１a、１ｂ、１ｃの如く回動して、予め設定された位置で固定され、該状態を維持できる。
【００７５】
斯くして、本発明の実施例２は、竿保持アーム１０の先端部に挟持アームと回転軸嵌挿用軸孔２１を有する取付キャップ２２をビス２４a、２４ｂ、２４ｃ・・・やボルト・ナット等で嵌着し、該取付キャップ２２の回転軸嵌挿用軸孔２１に延長用補助アーム１を連結し、該延長用補助アーム１は取付キャップ２２の回転軸嵌挿用軸孔２１を中心に回動可能とした。
【００７６】
そして、上記延長用補助アーム１の回転角は任意に設定でき、該延長用補助アーム１の回転角を任意に定めた設定位置で維持固定できるストッパーピン装着穴２５a、２５ｂ、２５ｃとストッパーピン１９からなるストッパー機能を有し、また、前記延長用補助アーム１は折りたたみ機能を有して前記竿保持アーム１０側に重ねて折りたたみ可能となし、不要時には竿保持アーム１０に付加されて取付面より突出する延長用補助アーム１の長さを物干金物の前後で利用者の邪魔物とならない様に構成した。
【００７７】
而して、図１４乃至図１６は、本発明における延長用補助アーム１を所定の位置で固定するための、所謂、ストッパー機構の実施例を説明するもので、本実施例の実施にあたり、図１４は補助用アーム固定部材３a側に位置するストッパー孔７a、７ｂ、７ｃ（図１並びに図２に示す）にボス２７a、２７ｂ、２７ｃを嵌着して該ボス２７a、２７ｂ、２７ｃをそれぞれストッパーピン１９の受け材とした。
【実施例３】
【００７８】
図１５は、前記ストッパーピン１９を独自の形状を持つストッパーピン２８に改良した。即ち、延長用補助アーム１側のそれぞれのストッパー孔７a、７ｂ、７ｃの位置でストッパーピン２８受け側にはタップ加工２９を施したボス２７a、２７ｂ、２７ｃ（図１５はボス２７aのみ図示）を設け、前記片側のストッパー孔８a、８ｂ、８ｃより装着されるストッパーピン２８の先端部にネジ切り加工３０を設けたストッパーピン２８を螺着することにより延長用補助アーム１の竿保持アーム１０への角度固定、収納時固定をする様に構成した。
尚、３１はストッパーピン２８の保持用チェーンで、該保持用チェーン３１の他端は前記竿保持アーム１等に連繋されており、ストッパーピン２８の紛失を防止している。
【実施例４】
【００７９】
図１６は、前記実施例と同様に形状を変えたストッパーピン３２を示している。ストッパーピン３２は延長用補助アーム１側のそれぞれのストッパー孔７a、７ｂ、７ｃの位置で、その受け側にスプリング係合溝３３を加工したボス２７a、２７ｂ、２７ｃ（図１６はボス２７aのみ図示）を設け、前記片側のストッパー孔８a、８ｂ、８ｃ側より挿着されるストッパーピン３２は先端部に係合スプリング３４を設けたストッパーピン３２を挿着することにより延長用補助アーム１の竿保持アーム１０への角度固定、収納時固定ができる様に構成した。尚、図１５中の３１は保持用チェーンを示している。
【実施例５】
【００８０】
図１７はもう一つのストッパーピン３５の実施例を示している。ストッパーピン３５は先端部にカギ状突起３６を有し、また他端の摘子３７の基部にはスプリング３８が設けられている。而して、延長用補助アーム１側のそれぞれのストッパー孔７a、７ｂ、７ｃの位置で、前記カギ状突起３６の受け側には、カギ状突起係合孔３９を加工したボス２７a、２７b、２７c（図１７はボス２７aのみ図示）を設けられている。ストッパーピン３５は前記片側ストッパー孔８a、８b、８c側より先端部のカギ状突起３６を差し込み、該カギ状突起３６がカギ状突起係合孔３９に係合し回転を加えるとスプリング３８がストッパー孔８a、８b、８c縁部と摘子３７の基部間で圧縮されてカギ状突起３６がカギ状突起係合孔３９に係合して係止され、ストッパーピン３５抜き止めとなり、該機構にて固定され延長用補助アーム１の竿保持アーム１０への角度固定、収納時固定をする様に構成した。
【実施例６】
【００８１】
図１８並びに図１９により実施例６を説明する。図１８は実施例６を説明する斜視説明図、図１９は図１８の要部断面説明図である。
図において、延長用補助アーム１の竿保持アーム１０側への重ねて折りたたみ収納時において、該延長用補助アーム１は竿保持アームの縁部４０に設けられた挟持具１８に該縁部４１を嵌着され前記延長用補助アーム１の折りたたみ状態を挟持具１８により維持可能に構成した。
而して、本発明の物干金物の竿保持アーム延長装置は上述の構成であるから、従来装置の如く物干し竿を延長補助アーム１の竿穴２a、２ｂ、２ｃ・・・に差し込んだまま、収納操作や延長操作ができる。
【産業上の利用可能性】
【００８２】
而して、本発明は、物干金物の竿保持アームの先端部に延長用補助アームを回動可能に連結し、該延長用補助アームは竿穴を有して物干し竿を増やして架け渡しすることができ、また、該延長用補助アームは設定位置にて前記竿保持アームに対して設定角度を保持して任意に固定可能であり、不要時には竿保持アーム側に折りたたんで固定できて、使用者の邪魔にならない構成を有する物干金物の竿保持アーム延長装置を提供することができたもので、その産業上の利用価値は非常に大きい。
【００８３】
また、本発明は、既存の物干金物においても、一般の人が簡単、且つ容易に物干金物の竿保持アームの先端部に取り付けできる延長用補助アームを提供し、該延長用補助アームは竿穴を有して物干し竿を増やして架け渡しすることができ、また、該延長用補助アームは設定位置にて前記竿保持アームに対して設定角度を保持して任意に固定可能であり、不要時には竿保持アーム側に折りたたんで固定できて、使用者の邪魔にならない構成を有する物干金物の竿保持アーム延長装置を提供するもので、その産業上の利用価値はすこぶる大きいものがある。  
【図面の簡単な説明】
【００８４】
【図１】本発明の延長用補助アームを示す部品図である。
【図２】本発明の延長用補助アームと竿保持アームとの関係を示す組み立て図        である。
【図３】本発明の竿受孔と緩衝材との関係を示す組み立て図である。
【図４】組み立て完了後の延長用補助アーム付き物干金物を示す説明図である。
【図５】竿保持アームと延長用補助アームの動作説明図である。
【図６】竿保持アームと延長用補助アームの動作説明図である。
【図７】竿保持アームと延長用補助アームの動作説明図である。
【図８】竿保持アームと延長用補助アームの動作説明図である。
【図９】竿保持アームと延長用補助アームの動作説明図である。
【図１０】竿保持アームと延長用補助アームの動作説明図である。
【図１１】竿保持アームと延長用補助アームの動作説明図である。
【図１２】本発明の実施例２を説明する部品図である。
【図１３】図１１の組み立て完了後の状態を示す説明図である。
【図１４】実施例３乃至４の部位説明図である。
【図１５】実施例３説明図である。
【図１６】実施例４説明図である。
【図１７】実施例５説明図である。
【図１８】実施例６を説明する斜視図である。
【図１９】実施例６を説明する要部断面図である。
【図２０】従来例を説明する側面図である。
【図２１】従来例を説明する側面図である。
【図２２】従来例を説明する側面図である。
【符号の説明】
【００８５】
１  延長用補助アーム
１a、１b、１c  延長用補助アーム固定位置
２a、２ｂ、２c、２d、２e  竿穴
３a、３b  補助アーム固定部材
４a、４b、４c  ビス孔、
５  回転軸
６a、６b  回転軸の保持用ビス孔
７a、７b、７c  ストッパーピン挿着穴
８a、８b、８c  ストッパーピン挿着穴
９  緩衝部材
９a  回転軸嵌挿用軸孔
１０  竿保持アーム
１１  竿受穴
１２a、１２b、１２c・・・  竿受穴
１３  ハンガー掛け穴
１４  ビス
１５a、１５b、１５ｃ  小ビス
１６  アーム保持部材
１７a、１７b  アンカーボルト
１８  挟持具
１９  ストッパーピン
２０   挟持アーム
２１  回転軸嵌挿用軸孔
２２  取付キャップ
２３a、２３b、２３c・・・  ビス孔
２４a、２４b、２４c・・・  ビス
２５a、２５b、２５c   ストッパーピン装着穴
２６  固定部材ストッパーピン装着穴
２７a、２７b、２７c   ボス
２８  ストッパーピン
２９  タップ加工
３０  ネジ切り加工
３１  保持用チェーン
３２  ストッパーピン
３３  スプリング係合溝
３４  係合スプリング
３５  ストッパーピン
３６  カギ状突起
３７  摘子
３８  スプリング
３９  カギ状突起係合孔
４０  竿保持アームの縁部
４１  延長用アームの縁部
５０  バルコニー手摺腰壁
５１  アンカーボルト
５２  アンカーボルト
５３  アーム保持部材
５４  アーム保持部材
５５a、５５b、５５c、５５d  竿保持アーム位置
５６  上下移動式ポール
５７  建物外壁
５８  庇
【図１】
2005230205.tif 000003
【図２】
2005230205.tif 000004
【図３】
2005230205.tif 000005
【図４】
2005230205.tif 000006
【図５】
2005230205.tif 000007
【図６】
2005230205.tif 000008
【図７】
2005230205.tif 000009
【図８】
2005230205.tif 000010
【図９】
2005230205.tif 000011
【図１０】
2005230205.tif 000012
【図１１】
2005230205.tif 000013
【図１２】
2005230205.tif 000014
【図１３】
2005230205.tif 000015
【図１４】
2005230205.tif 000016
【図１５】
2005230205.tif 000017
【図１６】
2005230205.tif 000018
【図１７】
2005230205.tif 000019
【図１８】
2005230205.tif 000020
【図１９】
2005230205.tif 000021
【図２０】
2005230205.tif 000022
【図２１】
2005230205.tif 000023
【図２２】
2005230205.tif 000024